(57)【特許請求の範囲】
【請求項１】
第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記空調対象空間は、区画されていない前記第１ゾーン及び前記第２ゾーンを有する空間であり、
前記第１系統には、前記第１ゾーン及び前記第２ゾーンの一方からの空気を供給し、前記第２系統には、前記第１ゾーン及び前記第２ゾーンの他方からの空気を供給し、
前記第１系統における空気の流れ方向において前記第１温調部よりも上流側に外気を供給する第１外気供給状態と、前記第２系統における空気の流れ方向において前記第２温調部よりも上流側に外気を供給する第２外気供給状態とに切換自在な外気供給状態切換部が備えられている空調装置。
【請求項２】
装置本体には、前記第１温調部に連通接続されて前記第１ゾーン及び前記第２ゾーンの一方からの空気を供給する第１還気チャンバーと、前記第２温調部に連通接続されて前記第１ゾーン及び前記第２ゾーンの他方からの空気を供給する第２還気チャンバーと、外気を供給する外気チャンバーとが区画形成され、
前記外気供給状態切換部は、前記第１還気チャンバーと前記外気チャンバーとの間及び前記第２還気チャンバーと前記外気チャンバーとの間を連通状態と非連通状態とに切り換えて、前記第１外気供給状態と前記第２外気供給状態とに切り換える請求項１に記載の空調装置。
【請求項３】
第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記第１系統には、前記第１ゾーン及び前記第２ゾーンの一方からの空気を供給し、前記第２系統には、前記第１ゾーン及び前記第２ゾーンの他方からの空気を供給し、
前記第１系統における空気の流れ方向において前記第１温調部よりも上流側に外気を供給する第１外気供給状態と、前記第２系統における空気の流れ方向において前記第２温調部よりも上流側に外気を供給する第２外気供給状態とに切換自在な外気供給状態切換部が備えられ、
装置本体には、前記第１温調部に連通接続されて前記第１ゾーン及び前記第２ゾーンの一方からの空気を供給する第１還気チャンバーと、前記第２温調部に連通接続されて前記第１ゾーン及び前記第２ゾーンの他方からの空気を供給する第２還気チャンバーと、外気を供給する外気チャンバーとが区画形成され、
前記外気供給状態切換部は、前記第１還気チャンバーと前記外気チャンバーとの間及び前記第２還気チャンバーと前記外気チャンバーとの間を連通状態と非連通状態とに切り換えて、前記第１外気供給状態と前記第２外気供給状態とに切り換え、
前記第１還気チャンバーと前記第２還気チャンバーとの間を連通状態と非連通状態に切換自在なチャンバー切換部が備えられている空調装置。
【請求項４】
第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記第１系統には、前記第１ゾーン及び前記第２ゾーンの一方からの空気を供給し、前記第２系統には、前記第１ゾーン及び前記第２ゾーンの他方からの空気を供給し、
前記第１系統における空気の流れ方向において前記第１温調部よりも上流側に外気を供給する第１外気供給状態と、前記第２系統における空気の流れ方向において前記第２温調部よりも上流側に外気を供給する第２外気供給状態とに切換自在な外気供給状態切換部が備えられ、
前記第１温調部及び前記第２温調部のうち、一方が加熱作動及び冷却作動の両方を実行可能に構成され、且つ、他方が冷却作動のみ実行可能に構成され、
前記外気供給状態切換部は、前記第１温調部及び前記第２温調部の一方を加熱作動させ且つ他方を冷却作動させる冷房・暖房運転では、冷却作動させる温調部に外気を供給すべく、前記第１外気供給状態及び前記第２外気供給状態の一方側に切り換え、且つ、前記第１温調部及び前記第２温調部の一方を加熱作動させ且つ他方を作動停止させる暖房・暖房運転では、加熱作動させる温調部に外気を供給すべく、前記第１外気供給状態及び前記第２外気供給状態の他方側に切り換える空調装置。
【請求項５】
前記外気供給状態切換部は、前記第１外気供給状態及び前記第２外気供給状態に加えて、前記第１系統及び前記第２系統の両方に外気を供給する第３外気供給状態に切換自在であり、且つ、前記第１温調部及び前記第２温調部の一方又は両方を冷却作動させる冷房・冷房運転では、冷却作動させる温調部に外気を供給すべく、前記第１外気供給状態、前記第２外気供給状態及び前記第３外気供給状態のいずれかに切り換える請求項４に記載の空調装置。
【請求項６】
第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記第１系統には、前記第１ゾーン及び前記第２ゾーンの一方からの空気を供給し、前記第２系統には、前記第１ゾーン及び前記第２ゾーンの他方からの空気を供給し、
前記第１系統における空気の流れ方向において前記第１温調部よりも上流側に外気を供給する第１外気供給状態と、前記第２系統における空気の流れ方向において前記第２温調部よりも上流側に外気を供給する第２外気供給状態とに切換自在な外気供給状態切換部が備えられ、
装置本体には、前記第１温調部に連通接続されて前記第１ゾーン及び前記第２ゾーンの一方からの空気を供給する第１還気チャンバーと、前記第２温調部に連通接続されて前記第１ゾーン及び前記第２ゾーンの他方からの空気を供給する第２還気チャンバーとが区画形成され、前記第１ゾーンをインテリアゾーンとし、前記第２ゾーンをペリメータゾーンとし、前記第１還気チャンバーには前記第２ゾーンからの空気を供給し、前記第２還気チャンバーには前記第１ゾーンからの空気を供給する空調装置。
【発明の詳細な説明】
【技術分野】
【０００１】
本発明は、空調対象空間における複数のゾーンを空調する空調装置に関する。
【背景技術】
【０００２】
オフィス等の空調対象空間では、インテリアゾーンとペリメータゾーン等の複数のゾーンを有しており、空調装置は、温調部にて温調された空気を複数のゾーンに供給することで、複数のゾーンの空調を行う。
【０００３】
インテリアゾーンとペリメータゾーンを有する空調対象空間では、インテリアゾーンとペリメータゾーンとで同じ空調要求が有る場合だけでなく、例えば、冬期等には、インテリアゾーンでは冷房要求が有り、ペリメータゾーンでは暖房要求が有る等、複数のゾーンで空調要求が異なる場合もある。
【０００４】
そこで、従来、第１ファンの通風作用により空調対象空間からの空気を第１温調部にて温調してインテリアゾーンに供給するインテリア系統と、第２ファンの通風作用により空調対象空間からの空気を第２温調部にて温調してペリメータゾーンに供給するペリメータ系統とを備えた空調装置が提案されている（例えば、特許文献１、２参照。）。この特許文献１、２に記載の空調装置では、インテリア系統とペリメータ系統とで空気を各別に流通させることで、インテリア系統によりインテリアゾーンを冷房しながら、ペリメータ系統によりペリメータゾーンを暖房できる。
【０００５】
空調対象空間では、換気の必要もあり、それに応えるために、特許文献１に記載の空調装置では、空調対象空間からの空気の一部を外部に排気するとともに、インテリア系統に外気を混合させてインテリアゾーンに外気を供給することで、空調対象空間の換気を行っている。特許文献２に記載の空調装置でも、空調対象空間からの空気の一部を外部に排気するとともに、ペリメータ系統に外気を混合させてペリメータゾーンに外気を供給することで、空調対象空間の換気を行っている。
【先行技術文献】
【特許文献】
【０００６】
【特許文献１】特許第４５２５２４６号公報
【特許文献２】特公平８−３３６８号公報
【発明の概要】
【発明が解決しようとする課題】
【０００７】
上記空調装置では、例えば、インテリアゾーン又はペリメータゾーンだけから空調要求が有る場合や省エネルギー化を図るために、インテリア系統とペリメータ系統の両方の温調部を作動させて空調するだけでなく、インテリア系統とペリメータ系統の一方の温調部のみを作動させて空調することも求められている。
【０００８】
しかしながら、上記特許文献１に記載の空調装置のように、外気の混合先をインテリア系統にしていると、ペリメータ系統の温調部のみを作動させて空調する場合に、ペリメータ系統に外気を混合できないので、空調対象空間に外気を供給できず、空調対象空間の換気を行えない。また、上記特許文献２に記載の空調装置のように、外気の混合先をペリメータ系統にしていると、インテリア系統の温調部のみを作動させて空調する場合に、インテリア系統に外気を混合できないので、空調対象空間に外気を供給できず、空調対象空間の換気を行えない。
【０００９】
この実情に鑑み、本発明の主たる課題は、空調対象空間の冷房や暖房を適切に行いながら、空調対象空間の換気をも適切に行える空調装置を提供する点にある。
【課題を解決するための手段】
【００１０】
本発明の第１特徴構成は、第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記空調対象空間は、区画されていない前記第１ゾーン及び前記第２ゾーンを有する空間であり、
前記第１系統には、前記第１ゾーン及び前記第２ゾーンの一方からの空気を供給し、前記第２系統には、前記第１ゾーン及び前記第２ゾーンの他方からの空気を供給し、
前記第１系統における空気の流れ方向において前記第１温調部よりも上流側に外気を供給する第１外気供給状態と、前記第２系統における空気の流れ方向において前記第２温調部よりも上流側に外気を供給する第２外気供給状態とに切換自在な外気供給状態切換部が備えられている点にある。
【００１１】
本特徴構成によれば、外気供給状態切換部を第１外気供給状態に切り換えることで、第１ゾーン及び第２ゾーンの一方からの空気に外気を混合させて第１温調部に供給させ、その第１温調部にて温調された空気を空調対象空間に供給できる。また、外気供給状態切換部を第２外気供給状態に切り換えることで、第１ゾーン及び第２ゾーンの他方からの空気に外気を混合させて第２温調部に供給させ、その第２温調部にて温調された空気を空調対象空間に供給できる。
【００１２】
これにより、第１温調部及び第２温調部の両方を作動させて空調対象空間を空調する場合には、外気供給状態切換部を第１外気供給状態又は第２外気供給状態に切り換えて、空調対象空間の冷房や暖房だけでなく、換気も適切に行えるだけでなく、第１温調部及び第２温調部の一方のみを作動させて空調対象空間を空調する場合でも、外気供給状態切換部を第１外気供給状態又は第２外気供給状態に切り換えて、空調対象空間の冷房や暖房だけでなく、換気も適切に行える。
【００１３】
本発明の第２特徴構成は、装置本体には、前記第１温調部に連通接続されて前記第１ゾーン及び前記第２ゾーンの一方からの空気を供給する第１還気チャンバーと、前記第２温調部に連通接続されて前記第１ゾーン及び前記第２ゾーンの他方からの空気を供給する第２還気チャンバーと、外気を供給する外気チャンバーとが区画形成され、
前記外気供給状態切換部は、前記第１還気チャンバーと前記外気チャンバーとの間及び前記第２還気チャンバーと前記外気チャンバーとの間を連通状態と非連通状態とに切り換えて、前記第１外気供給状態と前記第２外気供給状態とに切り換える点にある。
【００１４】
本特徴構成によれば、装置本体に第１還気チャンバーと第２還気チャンバーと外気チャンバーとを区画形成することで、第１、第２ゾーンからの空気の供給、及び、外気の供給を装置本体にて適切に受けることができる。これにより、外気供給状態切換部は、チャンバー同士の間を連通状態と非連通状態とに切り換えるという簡易な構成を備えるだけで、第１外気供給状態と第２外気供給状態とに適切に切り換えることができる。しかも、第１外気供給状態では、第１還気チャンバーにて第１ゾーン及び第２ゾーンの一方からの空気と外気が混合されるので、十分に混合された空気が第１温調部にて温調される。よって、第１ゾーン及び第２ゾーンの一方からの空気と外気とを均一に温調でき、第１ゾーンの冷房や暖房を効果的に行える。また、第２外気供給状態においても、第２還気チャンバーにて第１ゾーン及び第２ゾーンの他方からの空気と外気とが十分に混合されるので、第１ゾーン及び第２ゾーンの他方からの空気と外気とを均一に温調して、第２ゾーンの冷房や暖房を効果的に行える。
【００１５】
本発明の第３特徴構成は、第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記第１系統には、前記第１ゾーン及び前記第２ゾーンの一方からの空気を供給し、前記第２系統には、前記第１ゾーン及び前記第２ゾーンの他方からの空気を供給し、
前記第１系統における空気の流れ方向において前記第１温調部よりも上流側に外気を供給する第１外気供給状態と、前記第２系統における空気の流れ方向において前記第２温調部よりも上流側に外気を供給する第２外気供給状態とに切換自在な外気供給状態切換部が備えられ、
装置本体には、前記第１温調部に連通接続されて前記第１ゾーン及び前記第２ゾーンの一方からの空気を供給する第１還気チャンバーと、前記第２温調部に連通接続されて前記第１ゾーン及び前記第２ゾーンの他方からの空気を供給する第２還気チャンバーと、外気を供給する外気チャンバーとが区画形成され、
前記外気供給状態切換部は、前記第１還気チャンバーと前記外気チャンバーとの間及び前記第２還気チャンバーと前記外気チャンバーとの間を連通状態と非連通状態とに切り換えて、前記第１外気供給状態と前記第２外気供給状態とに切り換え、
前記第１還気チャンバーと前記第２還気チャンバーとの間を連通状態と非連通状態に切換自在なチャンバー切換部が備えられている点にある。
【００１６】
本特徴構成によれば、チャンバー切換部にて第１還気チャンバーと第２還気チャンバーとの間を連通状態に切り換えることで、第１還気チャンバーから第２還気チャンバーに又は第２還気チャンバーから第１還気チャンバーに空気を供給できる。これにより、第１ゾーン及び第２ゾーンの両方からの空気を第１還気チャンバー及び第２還気チャンバーの一方に供給することができ、第１温調部及び第２温調部の一方のみを作動させて、空調対象空間の冷房や暖房に加えて換気も適切に行える。また、チャンバー切換部にて第１還気チャンバーと第２還気チャンバーとの間を非連通状態に切り換えることで、第１ゾーンと第２ゾーンとで各別に空気を流通させながら、第１温調部及び第２温調部の両方を作動させて、空調対象空間の冷房や暖房に加えて換気も適切に行える。このように、チャンバー切換部を切り換えるだけの簡易な構成により、第１温調部及び第２温調部の一方のみを作動させる場合と第１温調部及び第２温調部の両方を作動させる場合との夫々に対応できる。
【００１７】
本発明の第４特徴構成は、第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記第１系統には、前記第１ゾーン及び前記第２ゾーンの一方からの空気を供給し、前記第２系統には、前記第１ゾーン及び前記第２ゾーンの他方からの空気を供給し、
前記第１系統における空気の流れ方向において前記第１温調部よりも上流側に外気を供給する第１外気供給状態と、前記第２系統における空気の流れ方向において前記第２温調部よりも上流側に外気を供給する第２外気供給状態とに切換自在な外気供給状態切換部が備えられ、
前記第１温調部及び前記第２温調部のうち、一方が加熱作動及び冷却作動の両方を実行可能に構成され、且つ、他方が冷却作動のみ実行可能に構成され、
前記外気供給状態切換部は、前記第１温調部及び前記第２温調部の一方を加熱作動させ且つ他方を冷却作動させる冷房・暖房運転では、冷却作動させる温調部に外気を供給すべく、前記第１外気供給状態及び前記第２外気供給状態の一方側に切り換え、且つ、前記第１温調部及び前記第２温調部の一方を加熱作動させ且つ他方を作動停止させる暖房・暖房運転では、加熱作動させる温調部に外気を供給すべく、前記第１外気供給状態及び前記第２外気供給状態の他方側に切り換える点にある。
【００１８】
本特徴構成によれば、第１温調部及び第２温調部の他方が冷却作動のみ実行可能であるので、冷却作動のみを行う構成を備えるだけでよく、構成の簡素化及びコストの低減を図ることができる。そして、冷房・暖房運転では、外気供給状態切換部を第１外気供給状態及び第２外気供給状態の一方側に切り換えて、冷却作動させる温調部に外気を供給するので、外気が有する冷熱を利用しながら空気を冷却させることができ、効率よい冷房を行うことができ、省エネルギー化を図れる。また、第１温調部及び第２温調部の他方が冷却作動のみ実行可能であるので、暖房・暖房運転を行う場合には、第１温調部及び第２温調部の一方のみを加熱作動させることになる。このような場合でも、外気供給状態切換部を第１外気供給状態及び第２外気供給状態の他方側に切り換えて、加熱作動させる温調部に外気を供給するので、暖房と同時に換気も適切に行える。
【００１９】
本発明の第５特徴構成は、前記外気供給状態切換部は、前記第１外気供給状態及び前記第２外気供給状態に加えて、前記第１系統及び前記第２系統の両方に外気を供給する第３外気供給状態に切換自在であり、且つ、前記第１温調部及び前記第２温調部の一方又は両方を冷却作動させる冷房・冷房運転では、冷却作動させる温調部に外気を供給すべく、前記第１外気供給状態、前記第２外気供給状態及び前記第３外気供給状態のいずれかに切り換える点にある。
【００２０】
本特徴構成によれば、冷房・冷房運転では、外気供給状態切換部を第１外気供給状態、第２外気供給状態及び第３外気供給状態のいずれかに切り換えて、冷却作動させる温調部に外気を供給するので、第１温調部及び第２温調部の一方を冷却作動させる場合だけでなく、第１温調部及び第２温調部の両方を冷却作動させる場合にも、外気が有する冷熱を利用しながら空気を冷却させて、効率よい冷房を行うことができ、省エネルギー化を図れる。
【００２１】
本発明の第６特徴構成は、第１ファンの通風作用により空調対象空間からの空気を第１温調部にて温調して前記空調対象空間の第１ゾーンに供給する第１系統と、第２ファンの通風作用により空調対象空間からの空気を第２温調部にて温調して前記空調対象空間の第２ゾーンに供給する第２系統とを備えた空調装置において、
前記第１系統には、前記第１ゾーン及び前記第２ゾーンの一方からの空気を供給し、前記第２系統には、前記第１ゾーン及び前記第２ゾーンの他方からの空気を供給し、
前記第１系統における空気の流れ方向において前記第１温調部よりも上流側に外気を供給する第１外気供給状態と、前記第２系統における空気の流れ方向において前記第２温調部よりも上流側に外気を供給する第２外気供給状態とに切換自在な外気供給状態切換部が備えられ、
装置本体には、前記第１温調部に連通接続されて前記第１ゾーン及び前記第２ゾーンの一方からの空気を供給する第１還気チャンバーと、前記第２温調部に連通接続されて前記第１ゾーン及び前記第２ゾーンの他方からの空気を供給する第２還気チャンバーとが区画形成され、前記第１ゾーンをインテリアゾーンとし、前記第２ゾーンをペリメータゾーンとし、前記第１還気チャンバーには前記第２ゾーンからの空気を供給し、前記第２還気チャンバーには前記第１ゾーンからの空気を供給する点にある。
【００２２】
本特徴構成によれば、例えば、第１温調部を冷却作動させ且つ第２温調部を加熱作動させて冷房・暖房運転を行う場合には、第１還気チャンバーにはペリメータゾーンからの空気を供給し、第２還気チャンバーにはインテリアゾーンからの空気を供給することで、インテリアゾーン及びペリメータゾーンからの空気を効率よく温調して、冷房と暖房の両方を効率よく行える。ペリメータゾーンにて暖房に用いられて温度低下された空気を第１還気チャンバーに供給して第１温調部にて冷却することで、温度低下された空気を第１温調部にて冷却できる。インテリアゾーンにて冷房に用いられて温度上昇された空気を第２還気チャンバーに供給して第２温調部にて加熱することで、温度上昇された空気を第１温調部にて加熱できる。これにより、第１温調部では温度低下された空気を冷却でき、第２温調部では温度上昇された空気を加熱できることから、冷房と暖房の両方を効率よく行うことができる。
【図面の簡単な説明】
【００２３】
【図１】第１冷房・暖房運転における空調装置の全体概略構成を示す図
【図２】第２冷房・暖房運転における空調装置の全体概略構成を示す図
【図３】第１冷房・冷房運転における空調装置の全体概略構成を示す図
【図４】第２冷房・冷房運転における空調装置の全体概略構成を示す図
【図５】部分冷房運転における空調装置の全体概略構成を示す図
【図６】暖房・暖房運転における空調装置の全体概略構成を示す図
【図７】第１部分暖房運転における空調装置の全体概略構成を示す図
【図８】第２部分暖房運転における空調装置の全体概略構成を示す図
【発明を実施するための形態】
【００２４】
本発明に係る空調装置の実施形態を図面に基づいて説明する。
図１〜図８は、空調装置１の全体概略構成を示しており、空気や外気が流通する流路を太線にて示し、空気や外気が流通しない流路を細線にて示し、作動する機器を実線にて示し、作動しない機器を点線にて示している。また、第１〜第１３ダンパーＤ１〜Ｄ１３について、開状態のものを白抜きにて図示し、閉状態のものを黒塗りで示している。図１〜図８では、どの流路を太線で示すのか、どの機器を実線にて示すのか、及び、どのダンパーを黒塗りで示すのかが異なるだけである。
【００２５】
そこで、まずは、図１に基づいて本発明に係る空調装置１の全体構成を説明し、次に、図１〜図８に基づいて空調装置１の各運転を説明し、最後に、本発明に係る空調装置１の特徴構成について説明する。
【００２６】
〔全体構成〕
以下、図１に基づいて本発明に係る空調装置１の全体構成を説明する。
空調装置１は、ファン１０１、２０１や温調部１０２、２０２等を有する装置本体２を備え、その装置本体２と空調対象空間Ｋとの間で空気を流通させて空調対象空間Ｋの空調を行う。空調対象空間Ｋは、インテリアゾーンＫ１とペリメータゾーンＫ２，Ｋ３とを有しており、空調装置１によりインテリアゾーンＫ１及びペリメータゾーンＫ２，Ｋ３の夫々の空調を行う。この実施形態では、ペリメータゾーンを２つ有しており、インテリアゾーンを第１ゾーンＫ１とし、第１のペリメータゾーンを第２ゾーンＫ２とし、第２のペリメータゾーンを第３ゾーンＫ３としている。
【００２７】
空調装置１は、第１ゾーンＫ１と第２ゾーンＫ２との夫々を空調するために、第１ファン１０１の通風作用により空調対象空間Ｋからの空気を第１温調部１０２にて温調して第１ゾーンＫ１に供給する第１系統１００と、第２ファン２０１の通風作用により空調対象空間Ｋからの空気を第２温調部２０２にて温調して第２ゾーンＫ２に供給する第２系統２００とを備えている。
【００２８】
第１系統１００は、空気の流れ方向で空調対象空間Ｋ側から順に、第２ゾーンＫ２から装置本体２に空気を供給（還気）する第１還気路１０３、その第１還気路１０３からの空気が供給される第１還気チャンバー１０４、第１フィルター１０５、第１温調部１０２、第１ファン１０１、第１ファン１０１からの空気が供給される第１給気チャンバー１０６、その第１給気チャンバー１０６の空気を装置本体２から第１ゾーンＫ１に供給（給気）する第１給気路１０７を備えている。
【００２９】
第２系統２００は、空気の流れ方向で空調対象空間Ｋ側から順に、第１ゾーンＫ１から装置本体２に空気を供給（還気）する第２還気路２０３、その第２還気路２０３からの空気が供給される第２還気チャンバー２０４、第２フィルター２０５、第２温調部２０２、加湿部２１０、第２ファン２０１、第２ファン２０１からの空気が供給される第２給気チャンバー２０６、その第２給気チャンバー２０６の空気を装置本体２から第２ゾーンＫ２に供給（給気）する第２給気路２０７を備えている。
【００３０】
装置本体２には、第１還気チャンバー１０４と第１給気チャンバー１０６と第２還気チャンバー２０４と第２給気チャンバー２０６とが区画形成され、更に、第１温調部１０２が設置された第１温調室１０８と第１ファン１０１が設置された第１ファン室１０９と第２温調部２０２が設置された第２温調室２０８と第２ファン２０１が設置された第２ファン室２０９とが区画形成されている。
【００３１】
上述の如く、第１還気路１０３は、第２ゾーンＫ２からの空気を第１還気チャンバー１０４に供給しており、第２還気路２０３は、第１ゾーンＫ１からの空気を第２還気チャンバー２０４に供給しているので、第１系統１００では、第２ゾーンＫ２からの空気を温調して第１ゾーンＫ１に供給し、第２系統２００では、第１ゾーンＫ１からの空気を温調して第２ゾーンＫ２に供給している。これにより、第１系統１００と第２系統２００では、温調された空気の供給先のゾーンとは反対側のゾーンから温調対象の空気の供給を受ける。
【００３２】
空調装置１は、第１系統１００及び第２系統２００に加えて、装置本体２にて温調された空気を第３ゾーンＫ３に供給する第３系統３００を備えている。この第３系統３００は、第１系統１００及び第２系統２００の機器や流路の一部を兼用して構成されている。第３系統３００は、第１ファン１０１及び第２ファン２０１のいずれかの通風作用により、空調対象空間Ｋからの空気を第１温調部１０２及び第２温調部２０２のいずれかにて温調して第３ゾーンＫ３に供給している。
【００３３】
第３系統３００は、空調対象空間Ｋにおける第３ゾーンＫ３から装置本体２に空気を供給（還気）する第３還気路３０１と、第１ファン１０１及び第２ファン２０１のいずれかからの空気が供給される第３チャンバー３０２と、その第３チャンバー３０２の空気を装置本体２から第３ゾーンＫ３に供給（給気）する第３給気路３０３とを備えている。
【００３４】
第３還気路３０１は、第１還気路１０３の途中部位に接続され、空調対象空間Ｋにおける第３ゾーンＫ３からの空気を第１還気路１０３を通して第１還気チャンバー１０４に供給する。第３チャンバー３０２は、装置本体２に区画形成され、第１給気チャンバー１０６及び第２給気チャンバー２０６と連通接続されている。
【００３５】
空調装置１は、空調対象空間Ｋの冷房や暖房を行うと同時に、空調対象空間Ｋの換気を行う。空調装置１は、空調対象空間Ｋからの空気に外気を混合してその混合後の空気を温調して空調対象空間Ｋに供給し、空調対象空間Ｋからの空気の一部を外部に排気することで、空調対象空間Ｋの換気を行う。空調装置１は、空調対象空間Ｋに外気を供給する外気供給系統４０１と、空調対象空間Ｋからの空気の一部を外部に排気する排気系統４０２とを備えている。
【００３６】
外気供給系統４０１は、外気を装置本体２に供給する外気供給路４０３と、その外気供給路４０３に配置された外気供給ファン４０４と、外気供給路４０３からの空気が供給される外気チャンバー４０５とを備え、第１系統１００及び第２系統２００の流路の一部を兼用して構成されている。外気チャンバー４０５は、装置本体２に区画形成され、第１還気チャンバー１０４及び第２還気チャンバー２０４と連通接続されている。
【００３７】
排気系統４０２は、第１ゾーンＫ１からの空気の一部を排気する第１排気路４０６と、第２ゾーンＫ２からの空気の一部を排気する第２排気路４０７と、第３ゾーンＫ３からの空気の一部を排気する第３排気路４０８とを備え、第１系統１００及び第２系統２００の流路の一部を兼用して構成されている。第１排気路４０６は、第２還気路２０３の途中部位から分岐され、第２排気路４０７は、第１還気路１０３の途中部位から分岐され、第３排気路４０８は、第３還気路３０１の途中部位から分岐されている。第１排気路４０６と第２排気路４０７と第３排気路４０８は、その下流側部位が合流接続されており、その合流排気路４０９に排気ファン４１０が配置され、合流排気路４０９にて外部に空気を排気している。
【００３８】
装置本体２に区画形成されるチャンバーや室について説明を加える。装置本体２の中央部に外気チャンバー４０５が配置され、装置本体２の長手方向（横幅方向）の一方側（図中右側）に、第１系統１００におけるチャンバー１０４、１０６や室１０８、１０９が装置本体２の長手方向に並ぶ状態で配置され、且つ、装置本体２の長手方向の他方側（図中左側）に、第２系統２００におけるチャンバー２０４、２０６や室２０８、２０９が装置本体２の長手方向に並ぶ状態で配置されている。これにより、第１系統１００と第２系統２００とでチャンバーや室を対称的にバランスよく配置でき、装置本体２の構成や形状の簡素化を図ることができる。
【００３９】
第１還気チャンバー１０４は、装置本体２の横幅方向で外気チャンバー４０５に隣接する状態で配置され、外気チャンバー４０５に連通接続されている。第２還気チャンバー２０４も、装置本体２の長手方向で外気チャンバー４０５に隣接する状態で配置され、外気チャンバー４０５に連通接続されている。これにより、外気チャンバー４０５に供給された外気が第１還気チャンバー１０４及び第２還気チャンバー２０４に供給可能に構成されている。第２還気チャンバー２０４は、外気チャンバー４０５よりも装置本体２の短手方向の一方側で第１還気チャンバー１０４側に回り込むＬ字状に形成され、その第２還気チャンバー２０４の回り込み部位と第１還気チャンバー１０４とが連通接続され、第１還気チャンバー１０４と第２還気チャンバー２０４との間で空気を供給可能に構成されている。
【００４０】
第１温調室１０８は、装置本体２の長手方向で第１還気チャンバー１０４に隣接する状態で配置され、第１還気チャンバー１０４に連通接続されており、その連通接続部分に第１フィルター１０５が配置されている。これにより、第１還気チャンバー１０４の空気が第１フィルター１０５を通過する状態で第１温調部１０２に供給可能に構成されている。第１ファン室１０９は、装置本体２の長手方向で第１温調室１０８に隣接する状態で配置され、第１温調室１０８に連通接続されており、第１温調部１０２にて温調された空気が第１ファン室１０９に供給可能に構成されている。第１給気チャンバー１０６は、装置本体２の長手方向及び短手方向で第１ファン室１０９に隣接するＬ字状に形成され、第１ファン室１０９に連通接続されており、第１ファン１０１からの空気が第１給気チャンバー１０６に供給可能に構成されている。
【００４１】
第２温調室２０８、第２ファン室２０９、及び、第２給気チャンバー２０６は、第１温調室１０８、第１ファン室１０９及び第１給気チャンバー１０６に対して装置本体２の長手方向で対称的に配置されているとともに、その形状や構成自体については、第１温調室１０８、第１ファン室１０９、第１給気チャンバー１０６と同様に構成されている。ちなみに、第２温調室２０８には、第２温調部２０２に加えて、加湿部２１０が備えられている。
【００４２】
第３チャンバー３０２は、装置本体２の短手方向で外気チャンバー４０５と反対側に配置され、装置本体２の長手方向で第１給気チャンバー１０６と第２給気チャンバー２０６とに亘る長尺状に形成され、第１給気チャンバー１０６及び第２給気チャンバー２０６に連通接続されている。これにより、第１給気チャンバー１０６の空気が、第３チャンバー３０２に供給可能で、更に、第３チャンバー３０２を経由して第２給気チャンバー２０６に供給可能に構成されている。逆に、第２給気チャンバー２０６の空気も、第３チャンバー３０２に供給可能で、更に、第３チャンバー３０２を経由して第１給気チャンバー１０６に供給可能に構成されている。
【００４３】
空調装置１は、複数のダンパーＤ１〜Ｄ１３を備えている。第１ダンパーＤ１〜第７ダンパーＤ７は、開状態と閉状態とに切り換えることで、装置本体２に区画形成されたチャンバー同士の間を連通状態と非連通状態とに切り換え、第８ダンパーＤ８〜第１３ダンパーＤ１３は、開状態と閉状態とに切り換えることで、流路を流通状態と非流通状態とに切り換える。このように、複数のダンパーＤ１〜Ｄ１３の夫々を開状態と閉状態とに切り換えることで、空気や外気の流通経路を切り換える。
【００４４】
第１ダンパーＤ１は、第１還気チャンバー１０４と第２還気チャンバー２０４との間を連通状態と非連通状態とに切り換える。第２ダンパーＤ２は、外気チャンバー４０５と第１還気チャンバー１０４との間を連通状態と非連通状態とに切り換える。第３ダンパーＤ３は、外気チャンバー４０５と第２還気チャンバー２０４との間を連通状態と非連通状態とに切り換える。第４ダンパーＤ４は、第１ファン１０１（第１ファン室１０９）と第１給気チャンバー１０６との間を連通状態と非連通状態とに切り換える。第５ダンパーＤ５は、第１給気チャンバー１０６と第３チャンバー３０２との間を連通状態と非連通状態とに切り換える。第６ダンパーＤ６は、第２ファン２０１（第２ファン室２０９）と第２給気チャンバー２０６との間を連通状態と非連通状態とに切り換える。第７ダンパーＤ７は、第２給気チャンバー２０６と第３チャンバー３０２との間を連通状態と非連通状態とに切り換える。
【００４５】
第８ダンパーＤ８は、第１還気路１０３における第２排気路４０７の分岐箇所よりも第２ゾーンＫ２側に配置されて第１還気路１０３を流通状態と非流通状態とに切り換える。第９ダンパーＤ９は、第２還気路２０３における第１排気路４０６の分岐箇所よりも第１ゾーンＫ１側に配置されて第２還気路２０３を流通状態と非流通状態とに切り換える。第１０ダンパーＤ１０は、第３還気路３０１における第３排気路４０８の分岐箇所よりも第３ゾーンＫ３側に配置されて第３還気路３０１を流通状態と非流通状態とに切り換える。第１１、第１２、第１３ダンパーＤ１１は、第１、第２、第３排気路４０６、４０７、４０８の夫々を流通状態と非流通状態とに切り換える。
【００４６】
空調装置１は、各流路における空気や外気の風量を可変に制御自在な複数の風量制御装置Ｆ１〜Ｆ５を備えている。第１風量制御装置Ｆ１は、第１給気路１０７の途中部位に備えられ、第１ゾーンＫ１に供給する空気の風量を制御している。第２風量制御装置Ｆ２は、第２給気路２０７の途中部位に備えられ、第２ゾーンＫ２に供給する空気の風量を制御している。第３風量制御装置Ｆ３は、第３給気路３０３の途中部位に備えられ、第３ゾーンＫ３に供給する空気の風量を制御している。第４風量制御装置Ｆ４は、外気供給路４０３の途中部位に備えられ、装置本体２に供給する外気の風量を制御している。第５風量制御装置Ｆ５は、合流排気路４０９の途中部位に備えられ、外部に排気する空気の風量を制御している。ちなみに、第４、第５風量制御装置Ｆ４、Ｆ５は、外気の風量を設定風量の一定量に制御するものであってもよい。
【００４７】
空調装置１は、その運転を制御する制御部３を備えている。制御部３は、第１ファン１０１、第２ファン２０１、外気供給ファン４０４、及び、排気ファン４１０の作動状態を制御し、第１温調部１０２、第２温調部２０２及び加湿部２１０の作動状態を制御し、第１〜第１３ダンパーＤ１〜Ｄ１３の切換制御を行い、第１〜第５風量制御装置Ｆ１〜Ｆ５の作動状態を制御する。
【００４８】
第１温調部１０２は、例えば、冷水コイルを備えて、空気を冷却する冷却作動のみ実行可能であり、第２温調部２０２は、例えば、温水コイルと冷水コイルとを備えて、空気を加熱する加熱作動及び空気を冷却する冷却作動の両方を実行可能に構成されている。これにより、第１温調部１０２は、冷却作動するだけの構成を備えればよく、構成の簡素化及びコストの低減を図ることができる。ちなみに、第２温調部２０２については、例えば、同一のコイルに対して冷水を供給する状態と温水を供給する状態とに切り替える冷温水コイルとしてもよい。
【００４９】
制御部３は、第１〜第３ゾーンＫ１〜Ｋ３の夫々からどのような空調要求があるかによって、その空調要求に応じた運転を行う。
【００５０】
〔空調装置の各運転〕
以下、空調装置１の各運転について説明を加える。
（第１冷房・暖房運転）
図１に示すように、第１ゾーンＫ１から冷房要求があり且つ第２、第３ゾーンＫ２、Ｋ３から暖房要求がある場合には、制御部３が、第１ゾーンＫ１を冷房し且つ第２、第３ゾーンＫ２、Ｋ３を暖房する第１冷房・暖房運転を行う。この第１冷房・暖房運転では、制御部３が、第１ファン１０１、第２ファン２０１、外気供給ファン４０４及び排気ファン４１０を作動させるとともに、第１温調部１０２を冷却作動させ、第２温調部２０２を加熱作動させ、加湿部２１０を作動させる。ダンパーについては、制御部３が、第２ダンパーＤ２、第４ダンパーＤ４、第６ダンパーＤ６、第７ダンパーＤ７、第８ダンパーＤ８、第９ダンパーＤ９、第１０ダンパーＤ１０及び第１１ダンパーＤ１１を開状態に切り換え、それ以外のダンパーを閉状態とする。風量制御装置については、制御部３が、第１〜第５風量制御装置Ｆ１〜Ｆ５にて各流路における風量を設定風量に調整する。
【００５１】
第１冷房・暖房運転では、第１系統１００により第２ゾーンＫ２からの空気を第１温調部１０２にて冷却して第１ゾーンＫ１に供給することで、第１ゾーンＫ１を冷房する。第２系統２００により、第１ゾーンＫ１からの空気を第２温調部２０２にて加熱して第２ゾーンＫ２に供給することで、第２ゾーンＫ２を暖房する。第３系統３００により、第１系統１００の一部を利用して、第３ゾーンＫ３からの空気を第２温調部２０２にて加熱し、第２温調部２０２にて加熱された空気の一部を第３ゾーンＫ３に供給することで、第３ゾーンＫ３を暖房する。外気供給系統４０１により、第１系統１００における第１温調部１０２よりも上流側に外気を供給して、第２、第３ゾーンＫ２、Ｋ３からの空気に混合させ、その混合後の空気を第１ゾーンＫ１に供給する。排気系統４０２により、第１ゾーンＫ１からの空気の一部が外部に排気される。
【００５２】
空気及び外気の流れについて説明を加えると、第１ファン１０１の通風作用により、第２ゾーンＫ２からの空気が第１還気路１０３を通して第１還気チャンバー１０４に供給されるとともに、第３ゾーンＫ３からの空気が第３還気路３０１、第１還気路１０３を通して第１還気チャンバー１０４に供給される。一方、第２ファン２０１の通風作用により、第１ゾーンＫ１からの空気が第２還気路２０３を通して第２還気チャンバー２０４に供給される。外気は、外気供給ファン４０４の通風作用により、外気供給路４０３を通して外気チャンバー４０５に供給される。ここで、第２ダンパーＤ２が開状態で且つ第３ダンパーＤ３が閉状態であるので、第１還気チャンバー１０４と外気チャンバー４０５との間が連通状態で且つ第２還気チャンバー２０４と外気チャンバー４０５との間が非連通状態となっている。これにより、外気チャンバー４０５に供給された外気は、第１還気チャンバー１０４に供給され、第１還気チャンバー１０４の空気に混合される。
【００５３】
第１還気チャンバー１０４の空気は、第１温調部１０２にて冷却され、その冷却後の空気が、第１ファン１０１、第１給気チャンバー１０６、第１給気路１０７を通して第１ゾーンＫ１に供給され、第１ゾーンＫ１が冷房される。第２還気チャンバー２０４の空気は、第２温調部２０２にて加熱され、その加熱後の空気が、加湿部２１０にて加湿され、第２ファン２０１、第２給気チャンバー２０６、第２給気路２０７を通して第２ゾーンＫ２に供給され、第２ゾーンＫ２が暖房されるとともに、第２給気チャンバー２０６に供給された空気の一部が、第２給気チャンバー２０６から分岐され、第３チャンバー３０２、第３給気路３０３を通して第３ゾーンＫ３に供給され、第３ゾーンＫ３も暖房される。
【００５４】
排気系統４０２において、第１１、第１２、第１３ダンパーＤ１１、Ｄ１２、Ｄ１３のうち、第１１ダンパーＤ１１のみが開状態であるので、排気ファン４１０の通風作用により、第１ゾーンＫ１からの空気の一部が、第２還気路２０３、第１排気路４０６、合流排気路４０９を通して外部に排気される。
【００５５】
この第１冷房・暖房運転では、制御部３が、冷房負荷の増大に伴い第１ゾーンＫ１への冷房風量を大きくすると、それに応じて第２、第３ゾーンＫ２、Ｋ３への暖房風量を小さくするように、第１〜第３風量制御装置の設定風量を可変させることができる。また、制御部３は、暖房負荷の増大に伴い第２、第３ゾーンＫ２、Ｋ３への暖房風量を大きくすると、それに応じて第１ゾーンＫ１への冷房風量を小さくするように、第１〜第３風量制御装置の設定風量を可変させることができる。このように、制御部３は、冷房負荷や暖房負荷に応じて、冷房風量や暖房風量の増減を調整するだけでなく、冷房風量と暖房風量との増減を相対的に調整させることもできる。また、暖房負荷が小さい場合等には、制御部３が、第２温調部２０２での加熱作動を断続させながら、第１冷房・暖房運転を行うことができる。例えば、暖房負荷が小さくなるに伴い暖房風量を小さくすると、冷房に用いられて温度上昇した空気が暖房要求があるゾーンへ流れ込むので、効率よく暖房を行える。また、温度上昇した空気の流れ込みによって暖房負荷を賄うことができれば、第２温調部２０２の加熱作動を停止させることもでき、消費エネルギーの低減により省エネルギー性の向上を図ることができる。
【００５６】
（第２冷房・暖房運転）
図２に示すように、第１ゾーンＫ１及び第３ゾーンＫ３から冷房要求があり且つ第２ゾーンＫ２から暖房要求がある場合には、制御部３が、第１、第３ゾーンＫ１、Ｋ３を冷房し且つ第２ゾーンＫ２を暖房する第２冷房・暖房運転を行う。この第２冷房・暖房運転では、制御部３が、第１ファン１０１、第２ファン２０１、外気供給ファン４０４及び排気ファン４１０を作動させるとともに、第１温調部１０２を冷却作動させ、第２温調部２０２を加熱作動させ、加湿部２１０を作動させる。ダンパーについては、制御部３が、第２ダンパーＤ２、第４ダンパーＤ４、第５ダンパーＤ５、第６ダンパーＤ６、第８ダンパーＤ８、第９ダンパーＤ９、第１０ダンパーＤ１０及び第１１ダンパーＤ１１を開状態に切り換え、それら以外のダンパーを閉状態とする。風量制御装置については、制御部３が、第１〜第５風量制御装置Ｆ１〜Ｆ５にて各流路における風量を設定風量に調整する。
【００５７】
第２冷房・暖房運転では、第１系統１００、第２系統２００、外気供給系統４０１、及び、排気系統４０２については、第１冷房・暖房運転（図１参照）と同様であり、第３ゾーンＫ３を暖房するのではなく、冷房する点で第１冷房・暖房運転とは異なる。よって、第３系統３００により、第１温調部１０２にて冷却された空気の一部を第３ゾーンＫ３に供給することで、第３ゾーンＫ３を冷房する。
【００５８】
空気及び外気の流れは、空調対象空間Ｋから装置本体２への空気の供給（還気）、外気の供給、及び、空調対象空間Ｋからの排気について、第１冷房・暖房運転（図１参照）と同様であるので、装置本体２にて温調された空気を空調対象空間Ｋへ供給する際の空気の流れのみ説明を加える。
【００５９】
第１温調部１０２にて冷却後の空気は、第１ファン１０１、第１給気チャンバー１０６、第１給気路１０７を通して第１ゾーンＫ１に供給され、第１ゾーンＫ１が冷房される。第１給気チャンバー１０６に供給された空気の一部が、第１給気チャンバー１０６から分岐され、第３チャンバー３０２、第３給気路３０３を通して第３ゾーンＫ３に供給され、第３ゾーンＫ３も冷房される。第２還気チャンバー２０４の空気は、第２温調部２０２にて加熱され、その加熱後の空気が、第２ファン２０１、第２給気チャンバー２０６、第２給気路２０７を通して第２ゾーンＫ２に供給され、第２ゾーンＫ２が暖房される。
【００６０】
この第２冷房・暖房運転においても、第１冷房・暖房運転（図１参照）と同様に、制御部３は、冷房負荷や暖房負荷に応じて、冷房風量や暖房風量の増減を調整することができるとともに、暖房負荷の状況等によって、第２温調部２０２での加熱作動を断続させることができる。
【００６１】
（第１冷房・冷房運転）
図３に示すように、第１〜第３ゾーンＫ１〜Ｋ３のすべてから冷房要求があり且つその冷房負荷が大きい場合には、制御部３が、第１ファン１０１及び第２ファン２０１を作動させて第１〜第３ゾーンＫ１〜Ｋ３を冷房する第１冷房・冷房運転を行う。この第１冷房・冷房運転では、制御部３が、第１ファン１０１、第２ファン２０１、外気供給ファン４０４及び排気ファン４１０を作動させるとともに、第１温調部１０２及び第２温調部２０２を冷却作動させ、加湿部２１０を作動停止させる。ダンパーについては、制御部３が、第１１ダンパーＤ１１のみを閉状態とし、それ以外のダンパーを開状態に切り換える。風量制御装置については、制御部３が、第１〜第５風量制御装置Ｆ１〜Ｆ５にて各流路における風量を設定風量に調整する。
【００６２】
第１冷房・冷房運転では、第１系統１００により第２ゾーンＫ２からの空気を第１温調部１０２にて冷却して第１ゾーンＫ１に供給することで、第１ゾーンＫ１を冷房する。第２系統２００により、第１ゾーンＫ１からの空気を第２温調部２０２にて冷却して第２ゾーンＫ２に供給することで、第２ゾーンＫ２を冷房する。第３系統３００により、第１系統１００の一部を利用して、第３ゾーンＫ３からの空気を第１温調部１０２にて冷却し、第１温調部１０２にて冷却された空気の一部に加えて、第２温調部２０２にて冷却された空気の一部を第３ゾーンＫ３に供給することで、第３ゾーンＫ３を冷房する。外気供給系統４０１により、第１系統１００における第１温調部１０２よりも上流側、及び、第２系統２００における第２温調部２０２よりも上流側の両方に外気を供給して、第１ゾーンＫ１からの空気に外気を混合させるとともに、第２、第３ゾーンＫ２、Ｋ３からの空気に外気を混合させ、その混合後の空気を第１、第２、第３ゾーンＫ１、Ｋ２、Ｋ３の夫々に供給する。排気系統４０２により、第２、第３ゾーンＫ２、Ｋ３の夫々からの空気の一部が外部に排気される。
【００６３】
空気及び外気の流れについて説明を加えると、第１ファン１０１の通風作用により、第２ゾーンＫ２からの空気が第１還気路１０３を通して第１還気チャンバー１０４に供給されるとともに、第３ゾーンＫ３からの空気が第３還気路３０１、第１還気路１０３を通して第１還気チャンバー１０４に供給される。一方、第２ファン２０１の通風作用により、第１ゾーンＫ１からの空気が第２還気路２０３を通して第２還気チャンバー２０４に供給される。外気は、外気供給ファン４０４の通風作用により、外気供給路４０３を通して外気チャンバー４０５に供給される。ここで、第２ダンパーＤ２が開状態で且つ第３ダンパーＤ３が開状態であるので、第１還気チャンバー１０４と外気チャンバー４０５と第２還気チャンバー２０４との間の夫々が連通状態となっている。これにより、外気チャンバー４０５に供給された外気は、第１還気チャンバー１０４と第２還気チャンバー２０４の両方に供給され、第１還気チャンバー１０４の空気に混合されるとともに、第２還気チャンバー２０４の空気に混合される。
【００６４】
第１還気チャンバー１０４の空気は、第１温調部１０２にて冷却され、その冷却後の空気が、第１ファン１０１、第１給気チャンバー１０６、第１給気路１０７を通して第１ゾーンＫ１に供給され、第１ゾーンＫ１が冷房される。第２還気チャンバー２０４の空気は、第２温調部２０２にて冷却され、その冷却後の空気が、第２ファン２０１、第２給気チャンバー２０６、第２給気路２０７を通して第２ゾーンＫ２に供給され、第２ゾーンＫ２が冷房される。第１給気チャンバー１０６に供給された空気の一部は、第１給気チャンバー１０６から分岐され、第３チャンバー３０２に供給され、第２給気チャンバー２０６に供給された空気の一部は、第２給気チャンバー２０６から分岐され、第３チャンバー３０２に供給される。第３チャンバー３０２では、供給される空気が混合され、第３給気路３０３を通して第３ゾーンＫ３に供給され、第３ゾーンＫ３が冷房される。
【００６５】
排気系統４０２において、第１１、第１２、第１３ダンパーＤ１１、Ｄ１２、Ｄ１３のうち、第１２、第１３ダンパーＤ１２、Ｄ１３が開状態であるので、排気ファン４１０の通風作用により、第２ゾーンＫ２からの空気の一部が、第１還気路１０３、第２排気路４０７、合流排気路４０９を通して外部に排気されるとともに、第３ゾーンＫ３からの空気の一部が、第３還気路３０１、第３排気路４０８、合流排気路４０９を通して外部に排気される。
【００６６】
（第２冷房・冷房運転）
図４に示すように、第１〜第３ゾーンＫ１〜Ｋ３のすべてから冷房要求があり且つその冷房負荷が小さい場合に、制御部３が、第１ファン１０１のみを作動させて第１〜第３ゾーンＫ１〜Ｋ３を冷房する第２冷房・冷房運転を行う。この第２冷房・冷房運転では、制御部３が、第１ファン１０１、外気供給ファン４０４及び排気ファン４１０を作動させるとともに、第１温調部１０２を冷却作動させ、第２系統２００における第２ファン２０１、第２温調部２０２及び加湿部２１０を作動停止させる。ダンパーについては、制御部３が、第１ダンパーＤ１、第２ダンパーＤ２、第４ダンパーＤ４、第５ダンパーＤ５、第７ダンパーＤ７、第８ダンパーＤ８、第９ダンパーＤ９、第１０ダンパーＤ１０、第１２ダンパーＤ１２及び第１３ダンパーＤ１３を開状態に切り換え、それ以外のダンパーを閉状態とする。風量制御装置については、制御部３が、第１〜第５風量制御装置Ｆ１〜Ｆ５にて各流路における風量を設定風量に調整する。
【００６７】
この第２冷房・冷房運転は、第１冷房・冷房運転（図３参照）に対して、第２系統２００における第２ファン２０１及び第２温調部２０２を作動停止させる点で異なる。つまり、第２系統２００では、第２ファン２０１及び第２温調部２０２を作動停止させるので、第１ファン１０１の通風作用により、第１温調部１０２にて冷却された空気を第２ゾーンＫ２に供給することで、第２ゾーンＫ２を冷房する。これにより、第２ファン２０１及び第２温調部２０２を作動させなくても、第１〜第３ゾーンＫ１〜Ｋ３を冷房でき、消費エネルギーを減少させ、省エネルギー化を図ることができる。
【００６８】
空気及び外気の流れについて説明を加えるが、空調対象空間Ｋからの排気については、第１冷房・冷房運転（図３参照）と同様であるので、説明は省略する。第１ファン１０１の通風作用により、第２ゾーンＫ２からの空気が第１還気路１０３を通して第１還気チャンバー１０４に供給されるとともに、第３ゾーンＫ３からの空気が第３還気路３０１、第１還気路１０３を通して第１還気チャンバー１０４に供給される。また、第１ダンパーＤ１が開状態であるので、第１還気チャンバー１０４と第２還気チャンバー２０４との間が連通状態となっているので、第１ファン１０１の通風作用により、第１ゾーンＫ１からの空気が、第２還気路２０３、第２還気チャンバー２０４を通して第１還気チャンバー１０４に供給され、第１還気チャンバー１０４の空気に混合される。外気は、外気供給ファン４０４の通風作用により、外気供給路４０３を通して外気チャンバー４０５に供給される。ここで、第２ダンパーＤ２が開状態で且つ第３ダンパーＤ３が閉状態であるので、第１還気チャンバー１０４と外気チャンバー４０５との間が連通状態であり且つ第２還気チャンバー２０４と外気チャンバー４０５との間が非連通状態となっている。これにより、外気チャンバー４０５に供給された外気は、第１還気チャンバー１０４に供給され、第１還気チャンバー１０４の空気に混合される。
【００６９】
第１還気チャンバー１０４の空気は、第１温調部１０２にて冷却され、その冷却後の空気が、第１ファン１０１、第１給気チャンバー１０６、第１給気路１０７を通して第１ゾーンＫ１に供給され、第１ゾーンＫ１が冷房される。また、第１給気チャンバー１０６に供給された空気の一部が、第１給気チャンバー１０６から分岐され、第３チャンバー３０２、第３給気路３０３を通して第３ゾーンＫ３に供給され、第３ゾーンＫ３が冷房される。更に、第３チャンバー３０２に供給された空気の一部が、第３チャンバー３０２から分岐され、第２給気チャンバー２０６、第２給気路２０７を通して第２ゾーンＫ２に供給され、第２ゾーンＫ２が冷房される。
【００７０】
（部分冷房運転）
図５に示すように、第１、第３ゾーンＫ１、Ｋ３のみから冷房要求がある場合には、制御部３が、第１、第３ゾーンＫ１、Ｋ３のみを冷房する部分冷房運転を行う。この部分冷房運転では、制御部３が、第１ファン１０１、外気供給ファン４０４及び排気ファン４１０を作動させるとともに、第１温調部１０２を冷却作動させ、第２系統２００における第２ファン２０１、第２温調部２０２及び加湿部２１０を作動停止させる。ダンパーについては、制御部３が、第１ダンパーＤ１、第２ダンパーＤ２、第４ダンパーＤ４、第５ダンパーＤ５、第６ダンパーＤ６、第７ダンパーＤ７、第９ダンパーＤ９、第１０ダンパーＤ１０、第１２ダンパーＤ１２及び第１３ダンパーＤ１３を開状態に切り換え、それ以外のダンパーを閉状態とする。ただし、第８ダンパーＤ８については、第２ゾーンＫ２の温度が設定温度以上になると、その暖気を外部に排気するために、制御部３が、第８ダンパーＤ８を開状態に切り換える。風量制御装置については、制御部３が、第１、第３、第４及び第５風量制御装置Ｆ１、Ｆ３、Ｆ４、Ｆ５にて各流路における風量を設定風量に調整するとともに、第２風量制御装置Ｆ２にて第２給気路２０７の風量をゼロに調整する。
【００７１】
この部分冷房運転は、第２冷房・冷房運転（図４参照）に対して、冷房するゾーンを第１、第３ゾーンＫ１、Ｋ３のみとして、空調対象空間Ｋを部分的に冷房する点で異なる。制御部３が、第２風量制御装置Ｆ２にて第２給気路２０７の風量をゼロに調整することで、第２ゾーンＫ２への空気の供給を停止している。よって、第２給気路２０７による第２ゾーンＫ２への空気の供給がない点、及び、第１還気路１０３による第２ゾーンＫ２からの空気の流通がない点以外での空気や外気の流れは、第２冷房・冷房運転（図４参照）と同様である。ただし、上述の如く、第２ゾーンＫ２の温度が設定温度以上になると、制御部３が、第８ダンパーＤ８を開状態に切り換えることで、第２ゾーンＫ２からの空気（暖気）の一部を、第１還気路１０３、第２排気路４０７、合流排気路４０９を通して外部に排気する。
【００７２】
ちなみに、この部分冷房運転では、第２風量制御装置Ｆ２にて第２給気路２０７の風量をゼロに調整することで、第２ゾーンＫ２への空気の供給を停止しているが、例えば、制御部３が、第７ダンパーＤ７を閉状態とすることで、第２ゾーンＫ２への空気の供給を停止することもできる。
【００７３】
（暖房・暖房運転）
図６に示すように、第１〜第３ゾーンＫ１〜Ｋ３のすべてから暖房要求がある場合には、制御部３が、第１〜第３ゾーンＫ１〜Ｋ３を暖房する暖房・暖房運転を行う。この暖房・暖房運転では、制御部３が、第２ファン２０１、加湿部２１０、外気供給ファン４０４及び排気ファン４１０を作動させるとともに、第２温調部２０２を加熱作動させ、第１系統１００における第１ファン１０１及び第１温調部１０２を作動停止させる。ダンパーについては、制御部３が、第１ダンパーＤ１、第３ダンパーＤ３、第５ダンパーＤ５、第６ダンパーＤ６、第７ダンパーＤ７、第８ダンパーＤ８、第９ダンパーＤ９、第１０ダンパーＤ１０、第１２ダンパーＤ１２及び第１３ダンパーＤ１３を開状態に切り換え、それ以外のダンパーを閉状態とする。風量制御装置については、制御部３が、第１〜第５風量制御装置Ｆ１〜Ｆ５にて各流路における風量を設定風量に調整する。
【００７４】
暖房・暖房運転では、第１系統１００における第１ファン１０１及び第１温調部１０２を作動停止させるので、第２ファン２０１の通風作用により、第１〜第３ゾーンＫ１〜Ｋ３からの空気を第２温調部２０２にて加熱して第１〜第３ゾーンＫ１〜Ｋ３の夫々に供給することで、第１〜第３ゾーンＫ１〜Ｋ３の夫々を暖房する。これにより、第１ファン１０１及び第１温調部１０２を作動させなくても、第１〜第３ゾーンＫ１〜Ｋ３の夫々を暖房でき、消費エネルギーを減少させ、省エネルギー化を図ることができる。
【００７５】
第２ファン２０１の通風作用により、第１系統１００における第２、第３ゾーンＫ２、Ｋ３からの空気を第２温調部２０２に供給するとともに、第２系統２００における第１ゾーンＫ１からの空気を第２温調部２０２に供給する。第１系統１００では、第２温調部２０２にて加熱された空気の一部を第１ゾーンＫ１に供給することで、第１ゾーンＫ１を暖房する。第２系統２００でも、第２温調部２０２にて加熱された空気の一部を第２ゾーンＫ２に供給することで、第２ゾーンＫ２を暖房する。第３系統３００でも、第２温調部２０２にて加熱された空気の一部を第３ゾーンＫ３に供給することで、第３ゾーンＫ２を暖房する。外気供給系統４０１により、第２系統２００における第２温調部２０２よりも上流側に外気を供給して、第１〜第３ゾーンＫ１〜Ｋ３からの空気に混合させ、その混合後の空気を第１〜第３ゾーンＫ１〜Ｋ３の夫々に供給する。排気系統４０２により、第２、第３ゾーンＫ２、Ｋ３の夫々からの空気の一部が外部に排気される。
【００７６】
空気及び外気の流れについて説明を加えると、第２ファン２０１の通風作用により、第１ゾーンＫ１からの空気が第２還気路２０３を通して第２還気チャンバー２０４に供給される。第１ダンパーＤ１が開状態であり、第１還気チャンバー１０４と第２還気チャンバー２０４との間が連通状態となっているので、第２ファン２０１の通風作用により、第２ゾーンＫ２からの空気が、第１還気路１０３、第１還気チャンバー１０４を通して第２還気チャンバー２０４に供給され、第２還気チャンバー２０４の空気に混合されるとともに、第３ゾーンＫ３からの空気が第３還気路３０１、第１還気路１０３、第１還気チャンバー１０４を通して第２還気チャンバー２０４に供給され、第２還気チャンバー２０４の空気に混合される。外気は、外気供給ファン４０４の通風作用により、外気供給路４０３を通して外気チャンバー４０５に供給される。ここで、第２ダンパーＤ２が閉状態で且つ第３ダンパーＤ３が開状態であるので、第１還気チャンバー１０４と外気チャンバー４０５との間が非連通状態であり且つ第２還気チャンバー２０４と外気チャンバー４０５との間が連通状態となっている。これにより、外気チャンバー４０５に供給された外気は、第２還気チャンバー２０４に供給され、第２還気チャンバー２０４の空気に混合される。
【００７７】
第２還気チャンバー２０４の空気は、第２温調部２０２にて加熱され、その加熱後の空気が、加湿部２１０にて加湿され、第２ファン２０１、第２給気チャンバー２０６、第２給気路２０７を通して第２ゾーンＫ２に供給され、第２ゾーンＫ２が暖房される。また、第２給気チャンバー２０６に供給された空気の一部が、第２給気チャンバー２０６から分岐され、第３チャンバー３０２、第３給気路３０３を通して第３ゾーンＫ３に供給され、第３ゾーンＫ３が暖房される。更に、第３チャンバー３０２に供給された空気の一部が、第３チャンバー３０２から分岐され、第１給気チャンバー１０６、第１給気路１０７を通して第１ゾーンＫ１に供給され、第１ゾーンＫ１が暖房される。
【００７８】
排気系統４０２において、第１１、第１２、第１３ダンパーＤ１１、Ｄ１２、Ｄ１３のうち、第１２、第１３ダンパーＤ１２、Ｄ１３が開状態であるので、排気ファン４１０の通風作用により、第２ゾーンＫ２からの空気の一部が、第１還気路１０３、第２排気路４０７、合流排気路４０９を通して外部に排気されるとともに、第３ゾーンＫ３からの空気の一部が、第３還気路３０１、第３排気路４０８、合流排気路４０９を通して外部に排気される。
【００７９】
（第１部分暖房運転）
図７に示すように、第１、第３ゾーンＫ１、Ｋ３のみから暖房要求がある場合には、制御部３が、第１、第３ゾーンＫ１、Ｋ３のみを暖房する第１部分暖房運転を行う。この第１部分暖房運転では、制御部３が、第２ファン２０１、加湿部２１０、外気供給ファン４０４及び排気ファン４１０を作動させるとともに、第２温調部２０２を加熱作動させ、第１系統１００における第１ファン１０１及び第１温調部１０２を作動停止させる。ダンパーについては、制御部３が、第１ダンパーＤ１、第３ダンパーＤ３、第５ダンパーＤ５、第６ダンパーＤ６、第７ダンパーＤ７、第９ダンパーＤ９、第１０ダンパーＤ１０、第１２ダンパーＤ１２及び第１３ダンパーＤ１３を開状態に切り換え、それ以外のダンパーを閉状態とする。ただし、第８ダンパーＤ８については、第２ゾーンＫ２の温度が設定温度以下になると、その冷気を外部に排気するために、制御部３が、第８ダンパーＤ８を開状態に切り換える。風量制御装置については、制御部３が、第１、第３、第４及び第５風量制御装置Ｆ１、Ｆ３、Ｆ４、Ｆ５にて各流路における風量を設定風量に調整するとともに、第２風量制御装置Ｆ２にて第２給気路２０７における風量をゼロに調整する。
【００８０】
第１部分暖房運転は、暖房・暖房運転（図６参照）に対して、暖房するゾーンを第１、第３ゾーンＫ１、Ｋ３のみとして、空調対象空間Ｋを部分的に暖房する点で異なる。つまり、制御部３が、第２風量制御装置Ｆ２にて第２給気路２０７の風量をゼロに調整することで、第２ゾーンＫ２への空気の供給を停止している。よって、第２給気路２０７による第２ゾーンＫ２への空気の供給がない点、及び、第１還気路１０３による第２ゾーンＫ２からの空気の流通がない点以外での空気や外気の流れは、暖房・暖房運転と同様である。ただし、上述の如く、第２ゾーンＫ２の温度が設定温度以下になると、制御部３が、第８ダンパーＤ８を開状態に切り換えることで、第２ゾーンＫ２からの空気（冷気）の一部を、第１還気路１０３、第２排気路４０７、合流排気路４０９を通して外部に排気する。
【００８１】
（第２部分暖房運転）
図８に示すように、第３ゾーンＫ３のみから暖房要求がある場合には、制御部３が、第３ゾーンＫ３のみを暖房する第２部分暖房運転を行う。この第２部分暖房運転では、制御部３が、第２ファン２０１、加湿部２１０、外気供給ファン４０４及び排気ファン４１０を作動させるとともに、第２温調部２０２を加熱作動させ、第１系統１００における第１ファン１０１及び第１温調部１０２を作動停止させる。ダンパーについては、制御部３が、第１ダンパーＤ１、第３ダンパーＤ３、第５ダンパーＤ５、第６ダンパーＤ６、第７ダンパーＤ７、第８ダンパーＤ８、第１２ダンパーＤ１２及び第１３ダンパーＤ１３を開状態に切り換え、それ以外のダンパーを閉状態とする。ただし、第１０ダンパーＤ１０については、第３ゾーンＫ３の温度が設定温度以下になると、その冷気を外部に排気するために、制御部３が第１０ダンパーＤ１０を開状態に切り換える。風量制御装置については、制御部３が、第２、第４及び第５風量制御装置Ｆ２、Ｆ４、Ｆ５にて各流路における風量を設定風量に調整するとともに、第１風量制御装置Ｆ１にて第１給気路１０７における風量をゼロに調整し且つ第３風量制御装置Ｆ３にて第３給気路３０３における風量をゼロに調整する。
【００８２】
第２部分暖房運転は、暖房・暖房運転（図６参照）に対して、暖房するゾーンを第２ゾーンＫ２のみとして、空調対象空間Ｋを部分的に暖房する点で異なる。つまり、制御部３が、第１風量制御装置Ｆ１にて第１給気路１０７の風量をゼロに調整することで、第１ゾーンＫ１への空気の供給を停止するとともに、第３風量制御装置Ｆ３にて第３給気路３０３の風量をゼロに調整することで、第３ゾーンＫ３への空気の供給を停止している。よって、第１給気路１０７による第１ゾーンＫ１への空気の供給がない点、第３給気路３０３による第３ゾーンＫ３への空気の供給がない点、第２還気路２０３による第１ゾーンＫ１からの空気の流通がない点、及び、第３還気路３０１による第３ゾーンＫ３からの空気の流通がない点以外での空気や外気の流れは、暖房・暖房運転（図６参照）と同様である。ただし、上述の如く、第３ゾーンＫ３の温度が設定温度以下になると、制御部３が、第１０ダンパーＤ１０を開状態に切り換えることで、第３ゾーンＫ３からの空気（冷気）の一部を、第３還気路３０１、第３排気路４０８、合流排気路４０９を通して外部に排気する。
【００８３】
ちなみに、この第２部分暖房運転では、第１風量制御装置Ｆ１にて第１給気路１０７における風量をゼロに調整し且つ第３風量制御装置Ｆ３にて第３給気路３０３における風量をゼロに調整することで、第１、第３ゾーンＫ１、Ｋ３への空気の供給を停止しているが、例えば、制御部３が、第７ダンパーＤ７を閉状態とすることで、第１、第３ゾーンＫ１、Ｋ３への空気の供給を停止することもできる。
【００８４】
〔空調装置の特徴構成〕
上述の如く、空調装置１は、図１に示すように、どの運転を行うかによって、第１系統１００及び第２系統２００に対して、外気供給系統４０１にて外気を供給する系統を切り換える外気供給状態切換部Ｒを備えている。外気供給状態切換部Ｒは、第１系統１００における空気の流れ方向において第１温調部１０２よりも上流側に外気を供給する第１外気供給状態と、第２系統２００における空気の流れ方向において第２温調部２０２よりも上流側に外気を供給する第２外気供給状態と、第１系統１００における空気の流れ方向において第１温調部１０２よりも上流側及び第２系統２００における空気の流れ方向において第２温調部２０２よりも上流側の両方に外気を供給する第３外気供給状態とに切換自在に構成されている。ちなみに、図２〜図８では、外気供給状態切換部Ｒの符号を省略する。
【００８５】
上述の如く、装置本体２には、外気チャンバー４０５が区画形成され、その外気チャンバー４０５に隣接する状態で第１還気チャンバー１０４及び第２還気チャンバー２０４が区画形成されている。これにより、外気供給状態切換部Ｒは、第１還気チャンバー１０４と外気チャンバー４０５との間及び第２還気チャンバー２０４と外気チャンバー４０５との間を連通状態と非連通状態とに切り換えるという簡易な構成を備えるだけで、第１外気供給状態と第２外気供給状態と第３外気供給状態とに切り換えることができる。
【００８６】
外気供給状態切換部Ｒは、第２、第３ダンパーＤ２、Ｄ３から構成され、制御部３が、第２ダンパーＤ２を開状態とし且つ第３ダンパーＤ３を閉状態とすることで、外気供給状態切換部Ｒを第１外気供給状態に切り換える。制御部３が、第２ダンパーＤ２を閉状態とし且つ第３ダンパーＤ３を開状態とすることで、外気供給状態切換部Ｒを第２外気供給状態に切り換え、第２、第３ダンパーＤ２、Ｄ３の両方を開状態とすることで、外気供給状態切換部Ｒを第３外気供給状態に切り換える。
【００８７】
空調装置１では、外気供給状態切換部Ｒに加えて、第１還気チャンバー１０４と第２還気チャンバー２０４との間を連通状態と非連通状態とに切換自在な第１ダンパーＤ１（チャンバー切換部に相当する）が備えられている。これにより、第１系統１００の空気を第２系統２００における空気の流れ方向において第２温調部２０２よりも上流側に供給できるとともに、第２系統２００の空気を第１系統１００における空気の流れ方向において第１温調部１０２よりも上流側に供給できる。
【００８８】
第１冷房・暖房運転（図１参照）、及び、第２冷房・暖房運転（図２参照）では、制御部３が、第１ダンパーＤ１にて第１還気チャンバー１０４と第２還気チャンバー２０４との間を非連通状態とし、外気供給状態切換部Ｒを第１外気供給状態に切り換えている。これにより、第１系統１００と第２系統２００とで各別に空気を流通させながら、第１温調部１０２及び第２温調部２０２の両方を作動させて、冷房要求が有るゾーンの冷房と暖房要求が有るゾーンの暖房とを適切に行いながら、冷房要求が有るゾーンに外気を供給して換気も適切に行える。しかも、外気を第１温調部１０２にて冷却することで、外気が有する冷熱を利用しながら効率よい冷房を行うことができ、省エネルギー化を図りながら、冷房要求の有るゾーンの換気を行える。
【００８９】
また、第１冷房・暖房運転（図１参照）、及び、第２冷房・暖房運転（図２参照）において、第１還気路１０３は、第２、第３ゾーンＫ２、Ｋ３にて暖房に用いられて温度低下された空気を第１還気チャンバー１０４に供給している。これにより、第１還気チャンバー１０４の空気を第１温調部１０２にて冷却することで、温度低下された空気を第１温調部１０２にて冷却できる。しかも、第２還気路２０３は、第１ゾーンＫ１にて冷房に用いられて温度上昇された空気を第２還気チャンバー２０４に供給している。これにより、第２還気チャンバー２０４の空気を第２温調部２０２にて加熱することで、温度上昇された空気を第１温調部１０２にて加熱できる。このように、第１温調部１０２では温度低下された空気を冷却でき、第２温調部２０２では温度上昇された空気を加熱できることから、温調部１０２、２０２の能力を大きくする必要がなく、消費エネルギーの低減を図りながら、冷房と暖房の両方を効率よく行うことができる。
【００９０】
第２冷房・冷房運転（図４参照）、部分冷房運転（図５参照）では、制御部３が、第１ダンパーＤ１にて第１還気チャンバー１０４と第２還気チャンバー２０４との間を連通状態とし、外気供給状態切換部Ｒを第１外気供給状態に切り換えている。これにより、空調対象空間Ｋからの空気のすべてを第１温調部１０２に供給するとともに、外気も第１温調部１０２に供給して、第１温調部１０２のみを作動させて、冷房要求の有るゾーンの冷房と換気とを適切に行える。
【００９１】
暖房・暖房運転（図６参照）、第１部分暖房運転（図７参照）、第２部分暖房運転（図８参照）では、制御部３が、第１ダンパーＤ１にて第１還気チャンバー１０４と第２還気チャンバー２０４との間を連通状態とし、外気供給状態切換部Ｒを第２外気供給状態に切り換えている。これにより、空調対象空間Ｋからの空気のすべてを第２温調部２０２に供給するとともに、外気も第２温調部２０２に供給して、第２温調部２０２のみを作動させて、暖房要求の有るゾーンの暖房と換気とを適切に行える。
【００９２】
第１冷房・冷房運転（図３参照）では、制御部３が、第１ダンパーＤ１にて第１還気チャンバー１０４と第２還気チャンバー２０４との間を連通状態とし、外気供給状態切換部Ｒを第３外気供給状態に切り換えている。これにより、空調対象空間Ｋからの空気を第１温調部１０２及び第２温調部２０２の両方に供給するとともに、外気も第１温調部１０２及び第２温調部２０２の両方に供給して、第１温調部１０２及び第２温調部２０２の両方を作動させて、冷房要求の有るゾーンの冷房と換気とを適切に行える。
【００９３】
上述の如く、第１〜第３ゾーンＫ１〜Ｋ３の夫々からどのような空調要求が有るかによって、第１還気チャンバー１０４と第２還気チャンバー２０４との間を連通状態と非連通状態とに切り換えるとともに、外気供給状態切換部Ｒを第１外気供給状態と第２外気供給状態と第３外気供給状態とに切り換えて、その空調要求に応じた冷房や暖房を行いながら、空調対象のゾーンに外気も供給してその空調対象のゾーンの換気も適切に行える。
【００９４】
〔別実施形態〕
（１）上記実施形態では、追加系統として１つの第３系統３００を備えているが、追加系統を複数備えることもできる。この場合には、第１給気チャンバー１０６と第２給気チャンバー２０６とに連通する連通チャンバーを第３チャンバー３０２に対して並列状態で備えるとともに、その連通チャンバーと第１給気チャンバー１０６との間、及び、連通チャンバーと第２給気チャンバー２０６との間を連通状態と非連通状態とに切り換えるダンパーを備える。このように、追加系統を複数備えることで、第１ゾーンＫ１と第２ゾーンＫ２の他に複数のゾーンを有する空調対象空間Ｋであっても、それら複数のゾーンの夫々を適切に空調できる。
【００９５】
（２）上記実施形態において、追加系統としての第３系統３００を備えずに空調装置１を構成することもできる。この場合には、第３チャンバー３０２を備えずに、第１給気チャンバー１０６と第２給気チャンバー２０６とを直接連通させ、その連通部分に第１給気チャンバー１０６と第２給気チャンバー２０６との間を連通状態と非連通状態とに切り換えるダンパーを備える。
【００９６】
（３）上記実施形態では、第１温調部１０２を冷却作動のみ実行可能に構成したが、第１温調部１０２も、第２温調部２０２と同様に、冷却作動と加熱作動の両方を実行可能に構成することもできる。この場合には、第１ファン１０１を作動させ、第１温調部１０２を加熱作動させ、第２ファン２０１及び第２温調部２０２を作動停止させて、暖房・暖房運転、第１部分暖房運転、第２部分暖房運転を行うことができる。
また、第１温調部１０２を冷却作動と加熱作動の両方を実行可能に構成し、第２温調部２０１を冷却作動のみ実行可能に構成することもできる。
【００９７】
（４）上記実施形態において、装置本体２における複数のチャンバーの配置構成や形状は適宜変更が可能である。外気供給状態切換部Ｒは、第１還気チャンバー１０４と外気チャンバー４０５との間、及び、第２還気チャンバー２０４と外気チャンバー４０５との間を連通状態と非連通状態とに切り換える構成を採用しているが、例えば、外気チャンバー４０５を備えずに、第１還気チャンバー１０４に外気を供給する状態と第２還気チャンバー２０４に外気を供給する状態とに切り換える構成を採用することもでき、その他各種の構成を採用することができる。
【００９８】
（５）上記実施形態において、例えば、第１冷房・暖房運転では、排気系統４０２によって第２、第３ゾーンＫ２、Ｋ３からの空気の一部を外部に排気することもでき、各運転において、排気系統４０２にて空調対象空間Ｋのどのゾーンからの空気の一部を外部に排気するかを適宜切り換えることができる。
【００９９】
（６）上記実施形態では、第１還気路１０３が、第２ゾーンＫ２からの空気を第１還気チャンバー１０４に供給し、第２還気路２０３が、第１ゾーンＫ１からの空気を第２還気チャンバー２０４に供給しているが、逆に、第１還気路１０３が、第１ゾーンＫ１からの空気を第１還気チャンバー１０４に供給し、第２還気路２０３が、第２ゾーンＫ２からの空気を第２還気チャンバー２０４に供給することもできる。
【０１００】
（７）上記実施形態では、空調装置１にて、インテリアゾーンとペリメータゾーンとを有する空調対象空間Ｋを空調しているが、空調装置１にて、複数のゾーンを有する空調対象空を空調することもでき、各種の空調対象空間に適用可能である。
【符号の説明】
【０１０１】
１        空調装置
２        装置本体
１００    第１系統
１０１    第１ファン
１０２    第１温調部
１０４    第１還気チャンバー
２００    第２系統
２０１    第２ファン
２０２    第２温調部
２０４    第２還気チャンバー
Ｄ１      第１ダンパー（チャンバー切換部）
Ｄ２      第２ダンパー（外気供給状態切換部）
Ｄ３      第３ダンパー（外気供給状態切換部）
Ｋ        空調対象空間
Ｋ１      第１ゾーン（インテリアゾーン）
Ｋ２      第２ゾーン（ペリメータゾーン）
Ｒ        外気供給状態切換部
【図１】
0006588777.tif 000002
【図２】
0006588777.tif 000003
【図３】
0006588777.tif 000004
【図４】
0006588777.tif 000005
【図５】
0006588777.tif 000006
【図６】
0006588777.tif 000007
【図７】
0006588777.tif 000008
【図８】
0006588777.tif 000009